(57)【要約】      （修正有）【課題】血液成分を正確に分離する血液成分分離容器を提供する。【解決手段】血液成分分離容器は、最上部に開口１１を設置する外筐体１と、外筐体内部に設置し、最上面中央箇所には收集部を備え、收集部の中央箇所は底部まで貫通して中央スリーブ２２を成形し、且つ外筐体との間に分離部を成形し、分離部は收集部を連接するコア２と、開口内に設置し、且つ血液流入管３１、血液排出管３２及び密封シールユニット３３を備え、血液流入管は中央スリーブに連接し、血液排出管は收集部に連接し、密封シールユニットは開口に固定するステータヘッド３を含む。【選択図】図２
0003204349.tif 000002
【実用新案登録請求の範囲】
【請求項１】
主に外筐体、コア、漏斗形案内通路、ステータヘッドから構成された血液成分分離容器において、
最上部に開口を穿設した外筐体と、
該外筐体内部に設置し、中央箇所には中央スリーブを成形し、最上面中央箇所には收集部を備え、且つ該外筐体との間には分離部を形成し、該分離部は該收集部に連接するコアと、
該コア上に設置し、且つ一端は該分離部を連接し、別端は該收集部を連接する漏斗形案内通路と、
該開口内に設置し、且つ血液流入管、血液排出管及び密封シールユニットを備え、該血液流入管は該中央スリーブに連接し、該血液排出管は該收集部に連接し、該密封シールユニットが開口に固定するステータヘッドを含むことを特徴とする血液成分分離容器。
【請求項２】
前記漏斗形案内通路は、該分離部の一端を連接し、更に第一案内部、第二案内部及び排液槽を備え、該第一案内部は扁平漏斗状通路であり、該第一案内部の一端は該分離部を連接し、該第一案内部の別端は該第二案内部を連接し、該第二案内部は該第一案内部より比較的小さい扁平漏斗状通路であり、該第二案内部の一端は該第一案内部を連接し、該第二案内部の別端は該排液槽を連接し、該排液槽は該收集部まで連接することを特徴とする請求項１記載の血液成分分離容器。
【請求項３】
前記外筐体は、上筐部、下筐部及び底筐体を備え、該上筐部と該下筐部の連接箇所は外向きに延びて外筐体斜面を形成し、該開口は該上筐部の最上部に成形し、該下筐部は該底筐体を連接することを特徴とする請求項１記載の血液成分分離容器。
【請求項４】
前記コアは階段状で、上コア部、中コア部及び下コア部を備え、該上コア部と該中コア部の連接箇所は外向きに延びて第一コア斜面を形成し、該中コア部と該下コア部の連接箇所は外向きに延びて第二コア斜面を形成し、該收集部は該上コア部の最上面に位置し、且つ該分離部は該第二コア斜面、該中コア部、該下コア部、該外筐体斜面と下筐部にメイン分離部を成形することを特徴とする請求項１記載の血液成分分離容器。
【請求項５】
前記密封シールユニットは、更に弾性密封シール、固定密封シール及びセラミック密封シールを含み、該ステータヘッドの適する箇所には筐カバーを設置し、該筐カバーが該密封シールユニットを覆うことを特徴とする請求項１記載の血液成分分離容器。
【請求項６】
前記底筐体の中心は、該中央スリーブ箇所で相対して下向きに突出して凹槽を成形することを特徴とする請求項１記載の血液成分分離容器。
【請求項７】
前記コアの底面は、更に導流槽を複数個設置することを特徴とする請求項１記載の血液成分分離容器。
【請求項８】
前記底筐体の周辺縁上には、少なくとも一凸塊を設置することを特徴とする請求項１記載の血液成分分離容器。
【請求項９】
前記收集部の底面は、周辺縁から該ステータヘッドに向けて下向きに傾斜し、且つ該血液排出管と該收集部の連接箇所は該收集部の最低箇所に設置することを特徴とする請求項１記載の血液成分分離容器。
【請求項１０】
外筐体は透明外筐体で、該第一案内部、該第二案内部及び該排液槽の一部は該外筐体とコアの間に設置して成形し、該排液槽の別一部は該コアへ延びて該收集部へ連接することを特徴とする請求項２記載の血液成分分離容器。
【考案の詳細な説明】
【技術分野】
【０００１】
本考案は、血液成分分離容器に関するもので、特に收集部の分離鉢を備え、そこに小型の血液成分分離容器を作り、先に血液成分を収集し、漏斗形案内通路によって更に良好な血液成分分離効果を備え、且つ漏斗形案内通路が光学センサー計器の判読精度を更に向上させる。
【背景技術】
【０００２】
公知の血液成分分離容器は、通常血液中の各種成分を分離するのに用い、その形式は様々である。しかしながら、公知の技術はすべて血液成分分離容器を大型の血液成分分離容器として製造し、且つ血液分離は通常血球と血漿に分離できるだけで、高濃度血小板血漿と少血小板血漿を直接分離できない。その両者間の境界が不明瞭であり、更に該血液成分分離容器の構が簡単で、通常平滑の外筐体とコアを備えるだけなので、分離の過程で、乱流が発生しやすく、精密に血液成分を分離できない。
【０００３】
仮に直接高濃度血小板血漿と少血小板血漿を分離したい時、通常は従来の分離装置を使用し、血液を分離管内に納置する。分離完成後に作業者が注射器を分離管内に差し込んで抽出する。その收集形式は手作業での収集であるため、抽出の過程で赤血球が抽出されやすく、且つ高濃度血小板血漿及び少血小板血漿を大量に収集することができない。
【０００４】
この他、公知の血液成分分離容器は、光学センサー計器を使用した時、血液分層の色を正確に判読できないため、血液成分を正確に分離できずにいた。更に体積が巨大であるため、必要な血液サンプルは大量に必要で、上層の比較的軽い血液成分を抽出する時に中間層の血液成分を誤って抽出してしまうことがあった。この種の問題を防止するため、公知の抽出方法は、比較的多量の上層血液成分を無駄にすることで、中間層の血液成分が誤って抽出するのを防止する方法を選択していた。他に、血液分離過程において、上層、中間層、下層の血液を一度に収集しなければならず、抽出過程の間に一時停止することはできず、さもなければ公知の血液成分分離容器が分層するように再度分離装置を稼働させる必要があった。
【考案の概要】
【考案が解決しようとする課題】
【０００５】
上述の問題を解決するため、本考案の目的は血液成分を更に正確に分離し、分離設備小型化し、血液サンプルの必要量を減らし、光学センサー計器の正確な判読を高め、分離の過程に於いて、内部が乱流しにくく、且つ分離容器運転中に一時停止できる血液成分分離容器を製造することにある。
【課題を解決するための手段】
【０００６】
本考案は血液成分分離容器であり、それは最上部に開口を穿設する外筐体と、外筐体内部に設置し、中央箇所には中央スリーブを成形し、最上面中央箇所には收集部を備え、且つ該外筐体との間には分離部を成形し、該分離部は該收集部を連接するコアと、該コア上に設置し、且つ一端は該分離部に連接し、別端は該收集部に連接する漏斗形案内通路と、更に、該開口内に設置し、且つ血液流入管、血液排出管及び密封シールユニットを備え、該血液流入管は該中央スリーブへ連接し、該血液排出管は該收集部に連接し、該密封シールユニットは該開口に固定するステータヘッドを含む。
【０００７】
本考案の主な技術手段として、本考案は漏斗形案内通路を備えることで、比較的高圧力で血液成分のうちの重い物質が上に上がるのを止め、並びに血液のうちの軽い成分が該漏斗形案内通路に沿って上昇し、血液成分分離が更に正確になり、更に血液分層が更に精密になり、血液分層の色がより明確になり、光学センサー計器の感度が向上する。
【０００８】
本考案の次の技術手段として、本考案の外筐体は上筐部、下筐部及び底筐体を備え、該上筐部と該下筐部の連接箇所は外向きに延びて外筐体斜面を形成し、該開口は該上筐部の最上部に穿設し、該下筐部は該底筐体に連接する。且つ該コアは階段状で、該コアは上コア部、中コア部及び下コア部を備え、該上コア部と該中コア部の連接箇所は外向きに延びて第一コア斜面を形成し、該中コア部と該下コア部の連接箇所は外向きに延びて第二コア斜面を形成する。該收集部は該上コア部の最上面に位置し、且つ該分離部は該第二コア斜面、該中コア部、該下コア部、該外筐体斜面と下筐部に於いてメイン分離部を成形し、その階段状のコア及び鐘形外筐体について、本考案を小型の分離鉢にした時、比較的大きいメイン分離部を備えることで、内部の血液体積を増やし、該外筐体斜面は中度圧力をかけることで、血液の比較的重い物質が上に上がるのを止め、血液の軽い成分を該外筐体斜面に沿って上昇させ、漏斗形案内通路は該外筐体斜面とともに最も精密に血液分離効果を達成する。
【０００９】
本考案は他の技術手段として、收集部を備えるため、先に分離した血液成分を保存し、作業者は一時的に分離装置を停止することができるため使用上、臨機応変に対応でき、更に便利である。
【００１０】
本考案は分離装置の使用によって、高濃度血小板血漿及び少血小板血漿を直接正確に分離収集することができる。公知の血液成分分離容器は体積が大きく、構造が簡単であるため、その効果が達成できなかった。
【考案の効果】
【００１１】
本考案の血液成分分離容器は、血液成分を更に正確に分離し、分離設備小型化し、血液サンプルの需要を減らし、光学センサー計器の正確な判読を向上させ、分離の過程に於いて、内部が乱流しにくく、且つ分離容器運転中に一時停止できるという利点がある。
【図面の簡単な説明】
【００１２】
【図１】本考案の立体実施図である。
【図２】本考案の分解図である。
【図３】本考案の操作実施図である。
【図４】本考案の断面図である。
【図５】本考案の実施例の立体透視図である。
【図６】本考案の実施例の断面実施図である。
【図７】本考案の実施例の底筐体からの俯瞰図である。
【考案を実施するための形態】
【００１３】
先ず、図１は本考案の立体実施図、図２は本考案の分解図及び図３は本考案の操作実施図とする。図１に示すとおり、本考案はステータヘッド３及び外筐体１を備える。該外筐体１は鐘形であり、且つ上筐部１２、下筐部１３及び底筐体１４を備える。該上筐部１２と該下筐部１３の連接箇所は外向きに延びて、外筐体斜面１５を形成する。該開口１１は該上筐部１２の最上部に穿設し、該下筐部１３は該底筐体１４を連接する。該ステータヘッド３の適する箇所には筐カバー３４を設置する。該筐カバー３４は密封シールユニット３３(図２参照)を設置することで、密封シールユニット３３が壊れた時に本考案内部の血液が上向き噴出するのを防止する。本考案の底筐体１４の周辺縁には少なくとも一凸塊１４２を設置することで、分離台４０と相互に掛合する。公知技術は真空挾持方式で分離台上に分離鉢を固定するが、本考案凸塊１４２の設計は、本考案を分離台４０上で更に安定して設置し、且つ製造コストが公知の真空挟持よりも低い。
【００１４】
該ステータヘッド３の適する箇所には更に固定部品３５を設置し、該固定部品３５は挟持具２０上(図３参照)で該ステータヘッド３を固定する。本考案を分離装置３０上に設置した時、該ステータヘッド３は該挟持具２０によって固定され、該外筐体１及びコア２を該ステータヘッド３に相対して回転させる。該分離装置３０は分離台４０、挟持具２０及び光学センサー計器５０を含み、分離台４０は該底筐体１４周辺縁上の凸塊１４２によって本考案と結合し、且つ該挟持具２０は該固定部品３５を挟持して該ステータヘッド３を固定する。該外筐体１は透明材質であり、光学センサー計器５０の設置により、光学センサー計器５０が本考案内部の変化を計測する。
【００１５】
本考案を更に明らかにする。図２及び図４を参考にし、図４は本考案の断面図であり、血液成分分離容器１０である。それは外筐体１を含み、該外筐体１の最上部には開口１１を穿設する。コア２は、該外筐体１内部に設置し、該コア２の中央箇所には中央スリーブ２２を成形し、該コア２の最上面中央箇所は收集部２１を備え、且つ該コア２と該外筐体１の間は分離部１００を形成し、該分離部１００は該收集部２１を連接する。漏斗形案内通路４は該コア２上に設置し、且つ該漏斗形案内通路４の一端は該分離部１００を連接し、該漏斗形案内通路４の別端は該收集部２１を連接する。ステータヘッド３は該開口１１内に設置し、且つ該ステータヘッド３は血液流入管３１、血液排出管３２及び密封シールユニット３３を備え、該血液流入管３１は該中央スリーブ２２に連接し、該血液排出管３２は該收集部２１に連接し、該密封シールユニット３３が該ステータヘッド３を該開口１１に固定する。
【００１６】
該外筐体１は鐘形で且つ上筐部１２、下筐部１３及び底筐体１４を備える。該上筐部１２と該下筐部１３の連接箇所は、外向きに延びて外筐体斜面１５を形成し、該開口１１は該上筐部１２の最上部に穿設し、該下筐部１３は該底筐体１４を連接する。更に該コア２は階段状で、上コア部２３、中コア部２４及び下コア部２５を備える。該上コア部２３と該中コア部２４の連接箇所は外向きに延びて第一コア斜面２６を形成し、該中コア部２４と該下コア部２５の連接箇所は外向きに延びて第二コア斜面２７を形成し、且つ該分離部１００は該第二コア斜面２７、該中コア部２４、該下コア部２５、該外筐体斜面１５と下筐部１３でメイン分離部１０００を形成する。また該底筐体１４の中心の該中央スリーブ２２に相対する箇所は、下向きに凹槽１４１が突出して形成し、血液分離が終了した時、該凹槽１４１が集中して回收する。
【００１７】
本考案の密封シールユニット３３は、更に弾性密封シール３３１、固定密封シール３３２及びセラミック密封シール３３３を含む。該弾性密封シール３３１は最上層に位置し、分離時の外筐体１とコア２の揺れを抑えて和らげ、ステータヘッド３と本考案のその他部品の摩擦と破損を防止する。該固定密封シール３３２は第二層に位置し、且つ該固定密封シール３３２と該弾性密封シール３３１は相互に結合する。その設置目的は該弾性密封シール３３１の辺縁を固定し、該弾性密封シール３３１の辺縁の固定形状を維持する。最後に該セラミック密封シール３３３を三層目に位置する。該セラミック密封シール３３３は該開口１１上に固定し、且つ該固定密封シール３３２にしっかりと接触する。該セラミック密封シール３３３は耐磨材であるため、外筐体１とコア２が高速回転する時、該セラミック密封シール３３３は高温を発生しにくく、且つ耐用度が高く、圧力過重で破損するのを防止し、密封効果を高める。また該血液流入管３１の末端は中央管３１１を連接し、該中央管３１１は該中央スリーブ２２に沿って該底筐体１４向きに延びる。この種の設計は血液が中央スリーブ２２に流入する速度を緩め、中央スリーブ２２内の流れの急を防止し、中央管３１１の周囲は中央スリーブ２２に向けて延び收集部２１を形成する。
【００１８】
図５及び図６に示すとおり、図５は本考案の立体透視図で、図６は本考案の断面実施図である。本図に掲示するとおり、該漏斗形案内通路４は該分離部１００の一端に連接し、更に第一案内部４１、第二案内部４２及び排液槽４３を備える。該第一案内部４１は扁平漏斗状の通路で該第一案内部４１の一端は該分離部１００に連接し、該第一案内部４１の別端は該第二案内部４２に連接し、該第二案内部４２は該第一案内部４１より小さい扁平漏斗状通路である。該第二案内部４２の一端は該第一案内部４１を連接し、該第二案内部４２の別端は該排液槽４３を連接し、該排液槽４３は該收集部２１に連接し、該收集部２１は先ず該分離後の血液を収集し、図６に示すとおり、血液は血液流入管３１から中央管３１１を通じて該中央スリーブ２２部分の分離部１００へ流入し、メイン分離部１０００は該漏斗形案内通路４へ進入し、次に該漏斗形案内通路４を通じて收集部２１へ流れて集まり、最後に收集部２１から血液排出管３２へ流れ出る。
【００１９】
本考案の血液排出管３２は該血液流入管３１の外側に被せて設置し、該外筐体１は透明材質で図３の光学センサー計器５０と共に、該第一案内部４１、該第二案内部４２及び該排液槽４３の一部は該外筐体１と該コア２の間に成形設置し、該排液槽４３の別一部は該コア２まで延びて該收集部２１に連接する。本考案は階段状のコア２及び鐘形外筐体１を備えているため、本考案を小型の分離鉢に成形した時、比較的大きいメイン分離部１０００を備え、該第一案内部４１及び該第二案内部４２と共に、内部の血液体積を増やし、分離時の血液成分分離状態を正確にして、該外筐体斜面１５、第一案内部４１及び該第二案内部４２が血液の比較的重い物質が上に上がるのを止め、更に血液の比較的軽い成分を該外筐体斜面１５に沿って上昇させ、血液成分分離効果を備え、該第二案内部４２は該第一案内部４１よりも小さい扁平漏斗状通路なので、内部の血液成分色が明らかになり、光学センサー計器５０の正確度が更に向上する。
【００２０】
本考案の上コア部２３と該上筐部１２間には、第一案内部４１及び該第二案内部４２を成形し、血液の比較的軽い物質を分離して該收集部２１へ流し、該收集部２１の底面は周辺縁から該中央管３１１向きに下へ傾斜し、且つ該血液排出管３２と該收集部２１の連接箇所は該收集部２１の最低箇所で連接し、分離時、該分離した物質は先ず暫時、收集部２１に集められ、血液排出管３２から排出されず、分離装置３０で血液供給を停止した時、血液排出管３２から分離した物質を抽出する。または該分離装置３０のこの種の実施方式の長所である分離物質を分散収集できることで、更にその他物質に汚染されにくい。その取得した分離物質は濃度が比較的高く、品質が良好であるため、流速が高く、圧力が高い分離装置に運用できる。
【００２１】
図７は本考案の底筐体俯瞰図である。そのうち、該コア２の底面には更に複数個の導流槽２８を設置する。本実施例の構造は血液を平均して該メイン分離部１０００に流入させ、該メイン分離部１０００内部の乱流を減らす。以上の説明から分かるとおり、本考案が提供する血液成分分離容器１０は産業上の利用価値を備える。以上から本考案の比較的良好な実施例を用いて説明する。その技術は上述の説明に基づく種々の改良も含み、それらはすべて下述の請求範囲に属する。
【符号の説明】
【００２２】
１０  血液成分分離容器
２０  挟持具
３０  分離装置
４０  分離台
５０  光学センサー計器
１００  分離部
１０００  メイン分離部
１  外筐体
１１  開口
１２  上筐部
１３  下筐部
１４  底筐体
１４１  凹槽
１４２  凸塊 
１５  外筐体斜面
２  コア
２１  收集部
２２  中央スリーブ
２３  上コア部
２４  中コア部
２５  下コア部
２６  第一コア斜面
２７  第二コア斜面
２８  導流槽
３  ステータヘッド
３１  血液流入管
３１１  中央管
３２  血液排出管
３３  密封シールユニット
３３１  弾性密封シール
３３２  固定密封シール
３３３  セラミック密封シール
３４  筐カバー
３５  固定部品
４  漏斗形案内通路
４１  第一案内部
４２  第二案内部
４３  排液槽
【図１】
0003204349.tif 000003
【図２】
0003204349.tif 000004
【図３】
0003204349.tif 000005
【図４】
0003204349.tif 000006
【図５】
0003204349.tif 000007
【図６】
0003204349.tif 000008
【図７】
0003204349.tif 000009
【手続補正書】
【提出日】平成28年3月16日(2016.3.16)
【手続補正１】
【補正対象書類名】実用新案登録請求の範囲
【補正対象項目名】全文
【補正方法】変更
【補正の内容】
【実用新案登録請求の範囲】
【請求項１】
主に外筐体、コア、漏斗形案内通路、ステータヘッドから構成された血液成分分離容器において、
最上部に開口を穿設した外筐体と、
該外筐体内部に設置し、中央箇所には中央スリーブを成形し、最上面中央箇所には收集部を備え、且つ該外筐体との間には分離部を形成し、該分離部は該收集部に連接するコアと、
該コア上に設置し、且つ一端は該分離部を連接し、別端は該收集部を連接する漏斗形案内通路と、
該開口内に設置し、且つ血液流入管、血液排出管及び密封シールユニットを備え、該血液流入管は該中央スリーブに連接し、該血液排出管は該收集部に連接し、該密封シールユニットが開口に固定するステータヘッドを含むことを特徴とする血液成分分離容器。
【請求項２】
前記漏斗形案内通路は、該分離部の一端を連接し、更に第一案内部、第二案内部及び排液槽を備え、該第一案内部は扁平漏斗状通路であり、該第一案内部の一端は該分離部を連接し、該第一案内部の別端は該第二案内部を連接し、該第二案内部は該第一案内部より比較的小さい扁平漏斗状通路であり、該第二案内部の一端は該第一案内部を連接し、該第二案内部の別端は該排液槽を連接し、該排液槽は該收集部まで連接することを特徴とする請求項１記載の血液成分分離容器。
【請求項３】
前記外筐体は、上筐部、下筐部及び底筐体を備え、該上筐部と該下筐部の連接箇所は外向きに延びて外筐体斜面を形成し、該開口は該上筐部の最上部に成形し、該下筐部は該底筐体を連接することを特徴とする請求項１記載の血液成分分離容器。
【請求項４】
前記コアは階段状で、上コア部、中コア部及び下コア部を備え、該上コア部と該中コア部の連接箇所は外向きに延びて第一コア斜面を形成し、該中コア部と該下コア部の連接箇所は外向きに延びて第二コア斜面を形成し、該收集部は該上コア部の最上面に位置し、且つ該分離部は該第二コア斜面、該中コア部、該下コア部、該外筐体斜面と下筐部にメイン分離部を成形することを特徴とする請求項１記載の血液成分分離容器。
【請求項５】
前記密封シールユニットは、更に弾性密封シール、固定密封シール及びセラミック密封シールを含み、該ステータヘッドの適する箇所には筐カバーを設置し、該筐カバーが該密封シールユニットを覆うことを特徴とする請求項１記載の血液成分分離容器。
【請求項６】
前記底筐体の中心は、該中央スリーブ箇所で相対して下向きに突出して凹槽を成形することを特徴とする請求項３記載の血液成分分離容器。
【請求項７】
前記コアの底面は、更に導流槽を複数個設置することを特徴とする請求項１記載の血液成分分離容器。
【請求項８】
前記底筐体の周辺縁上には、少なくとも一凸塊を設置することを特徴とする請求項３記載の血液成分分離容器。
【請求項９】
前記收集部の底面は、周辺縁から該ステータヘッドに向けて下向きに傾斜し、且つ該血液排出管と該收集部の連接箇所は該收集部の最低箇所に設置することを特徴とする請求項１記載の血液成分分離容器。
【請求項１０】
外筐体は透明外筐体で、該第一案内部、該第二案内部及び該排液槽の一部は該外筐体とコアの間に設置して成形し、該排液槽の別一部は該コアへ延びて該收集部へ連接することを特徴とする請求項２記載の血液成分分離容器。